(57)【要約】【課題】  時計のムーブメントに磁力の影響を与えることがないように合理的に構成された振り子装置を提供すること。【解決手段】  指針５０を駆動するムーブメント４０を備えた時計１に設けられる振り子装置１００において、磁石２２０を設けた振り子２００と、振り子を揺動可能に支持する支持体（中板３０）と、磁石に作用して振り子を駆動する振り子駆動手段３００とを備え、振り子には、ムーブメントと磁石との間に位置するように磁性体２４０を設けるとともに、磁性体は、振り子の揺動に伴いムーブメントと振り子駆動手段との間を通過するようにした。【選択図】図２
2008014856.tif 000002
【特許請求の範囲】
【請求項１】
指針を駆動するムーブメントを備えた時計に設けられる振り子装置において、
磁石を設けた振り子と、前記振り子を揺動可能に支持する支持体と、前記磁石に作用して前記振り子を駆動する振り子駆動手段とを備え、
前記振り子には、前記ムーブメントと前記磁石との間に位置するように磁性体を設けるとともに、前記磁性体は、前記振り子の揺動に伴い前記ムーブメントと前記振り子駆動手段との間を通過するようにしたことを特徴とする振り子装置。
【発明の詳細な説明】
【技術分野】
【０００１】
本発明は、時計の装飾に利用される振り子装置に関する。
【背景技術】
【０００２】
壁掛け時計や置き時計としては、装飾用の振り子装置を備えたものが知られている。この種の時計は、特許文献１及び２等にも開示されている。振り子装置は、振り子に磁石を設けるとともに、その磁石に作用する振り子駆動手段を振り子の外部に配置して構成されている。
【特許文献１】特開２００４−３６１３１８号公報
【特許文献２】特開２００５−７７１４７号公報
【発明の開示】
【発明が解決しようとする課題】
【０００３】
さて、指針を駆動するムーブメントを備えた時計については、振り子装置の磁力がムーブメントによる指針の駆動に影響を与えることがないように配慮する必要がある。ムーブメントは、内部に設けられたモータを動力とするものであり、特にモータのトルクが低いものであれば、磁力の影響を受け易いという事情がある。故に、ムーブメントと振り子駆動手段との間には、磁力の影響を回避するためにある程度の間隔を設定する必要がある。
【０００４】
しかるに近年、時計のデザインはますます多様化される傾向にあり、前述した振り子装置についても、時計のデザインを制約することがないように、ムーブメントと振り子駆動手段との間隔を短くするための工夫が望まれている。
【０００５】
本発明は、かかる事情に鑑みてなされたものであり、その目的は、時計のムーブメントに磁力の影響を与えることがないように合理的に構成された振り子装置を提供することである。
【課題を解決するための手段】
【０００６】
本願第１請求項に記載した発明は、指針を駆動するムーブメントを備えた時計に設けられる振り子装置において、磁石を設けた振り子と、前記振り子を揺動可能に支持する支持体と、前記磁石に作用して前記振り子を駆動する振り子駆動手段とを備え、前記振り子には、前記ムーブメントと前記磁石との間に位置するように磁性体を設けるとともに、前記磁性体は、前記振り子の揺動に伴い前記ムーブメントと前記振り子駆動手段との間を通過するようにした構成の振り子装置である。
【発明の効果】
【０００７】
本発明によれば、時計のムーブメントに磁力の影響を与えることがないように合理的に構成された振り子装置を得ることができる。
【発明を実施するための最良の形態】
【０００８】
以下に、本発明の実施例を図面に基づいて詳細に説明する。図１及び図２に示す時計１は、振り子装置１００を備えたアナログ時計である。この時計１は、指針５０を駆動するムーブメント４０を装着した中板３０を筐体２０の内部に設けてなるものである。ムーブメント４０は、指針パイプ４１を中板３０に貫通した状態で中板３０の裏面に配置されている。このムーブメント４０は、指針パイプ４１を所定の速度で回転するモータ及び減速装置を薄型ケースの内部に収納してなるユニットである。筐体２０の正面には透明板２１が設けられており、正面から見て上部が指針５０による時刻表示部１１となっている。
【０００９】
振り子装置１００は、振り子２００及び振り子駆動手段３００を支持体たる中板３０の裏面に支持して構成されている。振り子２００の動きは、中板３０に設けられた窓部３１から観察される。窓部３１は、時刻表示部１１の下部に設けられている。
【００１０】
振り子２００は、中板３０に固定された支軸２１０に枢支されている。つまり、中板３０に対し左右に揺動可能に支持されている。振り子の上部には磁石２２０が設けられており、振り子の下部には振り玉２３０が設けられている。図３は、振り子２００を示す正面図である。
【００１１】
振り子駆動手段３００は、振り子２００の磁石２２０に作用して振り子２００を駆動するものである。具体的には、磁石２２０がその近傍を通過する際に、検出コイルに誘起電圧を発生し、検出コイルに誘起電圧が発生すると、駆動コイルに電流が流れ、駆動コイルが磁石を反発することにより、振り子
２００を加勢する構成となっている。この振り子駆動手段３００は、ムーブメント４０の上部近傍に配置されている。
【００１２】
本例の場合、振り子２００には、ムーブメント４０と磁石２２０との間に位置するように磁性体２４０を設けている。磁性体２４０としては、プレート状の鉄板を採用している。磁性体２４０は、振り子の重さを調整するバランサーとしての機能も有する。また、この磁性体２４０は、振り子２００の揺動に伴いムーブメント４０と振り子駆動手段３００との間を通過する構成となっている。
【００１３】
このような構成によると、振り子２００を駆動する磁力が時計１のムーブメント４０に与える影響を確実に低減することが可能である。ムーブメント４０に磁力が影響すると、ムーブメント４０のモータのトルクや回転速度が変化して、指針５０による表示に狂いが生じる場合があるが、本例によれば、そのような事態を防止することが可能である。
【００１４】
すなわち、磁性体２４０には磁束が集中するので、磁石２２０及び振り子駆動手段３００の周囲に発生する磁束については、磁性体２４０を超えてムーブメント４０に入り込む量が比較的少なくなる訳である。
【００１５】
尚、ここで重要なことは、振り子２００に磁性体２４０が設けられていることである。例えば、支持体たる中板３０に磁性体２４０を設けても、ムーブメント４０に入り込む磁束は少なくなるものの、磁石２２０と磁性体２４０が接近離反することになるため、これが振り子２００に不要なブレーキ効果をもたらす原因となる。磁石２２０と磁性体２４０との間隔が振り子２００の揺動に伴い変化しないというのが、本例における１つのポイントである。
【００１６】
本例の構成によれば、ムーブメント４０と振り子駆動手段３００との間隔を短く設定することが可能となり、設計の自由度も向上する。これは、時計の省スペース化やデザイン性の向上を図るうえで非常に有効な効果である。
【００１７】
以上説明したように、本例の振り子装置１００は、時計１のムーブメント４０に磁力の影響を与えることがないように合理的に構成されたものである。尚、本例における各部の構成は、特許請求の範囲に記載した技術的範囲において適宜に設計変更が可能であり、図例説明したものに限定されないことは勿論である。
【００１８】
例えば、前述した具体例では、磁石２２０、振り子駆動手段３００、磁性体２４０、及びムーブメント４０が上下方向に並ぶように配置したものを図例したが、或は図４に示すように、それらが前後方向に並ぶように配置することも可能である。
【産業上の利用可能性】
【００１９】
本発明の振り子装置は、置時計や壁掛け時計を装飾する装置として好適に利用することが可能である。
【図面の簡単な説明】
【００２０】
【図１】本発明の実施例に係り、時計を示す正面図である。
【図２】本発明の実施例に係り、時計を示す側面断面図である。
【図３】本発明の実施例に係り、振り子を示す説明図である。
【図４】本発明の実施例に係り、時計を示す側面断面図である。
【符号の説明】
【００２１】
１    時計
１１    時刻表示部
２０    筐体
２１    透明板
３０    中板
３１    窓部
４０    ムーブメント
４１    指針パイプ
５０    指針
１００    振り子装置
２００    振り子
２１０    支軸
２２０    磁石
２３０    振り玉
２４０    磁性体
３００    振り子駆動手段
【図１】
2008014856.tif 000003
【図２】
2008014856.tif 000004
【図３】
2008014856.tif 000005
【図４】
2008014856.tif 000006